(57)【要約】【課題】走査線上のゴミや汚れなどの状態を的確に判断し、メンテナンス性の向上やユーザの作業の効率化を図ること。【解決手段】基準色部材を読み取り素子で読み取った画像データに濃淡補正を行うシェーディング補正処理部２０２と、シェーディング補正処理部２０２により濃淡補正を施された画像データをユーザからの指示に基づいて画像処理する画像処理部２０５と、画像処理部２０５により画像処理を施された画像データを記憶し、装置に対して着脱可能なＳＤ−ＣＡＲＤメモリ２２０と、を備える。【選択図】        図２
2006279571.tif 000002
【特許請求の範囲】
【請求項１】
基準色部材を読み取り素子で読み取った画像データに濃淡補正を行うシェーディング手段と、
前記シェーディング手段により濃淡補正を施された前記画像データをユーザからの指示に基づいて鮮鋭化する鮮鋭化手段と、
前記鮮鋭化手段により鮮鋭化された前記画像データを記憶し、装置に対して着脱可能な記憶手段と、
を備えることを特徴とするデジタル画像読み取り装置。
【請求項２】
前記記憶手段は、
前記鮮鋭化手段により鮮鋭化された前記画像データを記憶する際に、当該画像データとともに当該画像データの付属情報をあわせて記憶するものであることを特徴とする請求項１に記載のデジタル画像読み取り装置。
【請求項３】
前記鮮鋭化手段は、
前記画像データを鮮鋭化する度合いを複数備え、当該鮮鋭化する度合いに応じて鮮鋭化した前記画像データを前記記憶手段に記憶することを特徴とする請求項１に記載のデジタル画像読み取り装置。
【請求項４】
前記記憶手段は、
前記鮮鋭化手段により鮮鋭化された前記画像データを記憶する際に、前記画像データに縮小処理を施すことを特徴とする請求項１〜３のいずれか一つに記載のデジタル画像読み取り装置。
【請求項５】
基準色部材を読み取り素子で読み取った画像データに濃淡補正を行うシェーディング工程と、
前記シェーディング工程により濃淡補正を施された前記画像データをユーザからの指示に基づいて鮮鋭化する鮮鋭化工程と、
前記鮮鋭化工程により鮮鋭化された前記画像データを記憶し、装置に対して着脱可能な記憶工程と、
を含むことを特徴とするデジタル画像読み取り方法。
【請求項６】
請求項５に記載のデジタル画像読み取り方法をコンピュータに実行させることを特徴とするデジタル画像読み取りプログラム。
【発明の詳細な説明】
【技術分野】
【０００１】
この発明は、画像を読み取るデジタル画像読み取り装置、デジタル画像読み取り方法およびデジタル画像読み取りプログラムに関する。
【背景技術】
【０００２】
近年、オフィスでの取り扱い文書は増加の一途をたどっており、それら文書管理の効率化を図るため、イメージスキャナを用いて、紙文書を電子イメージデータに落とし込む電子ファイリングシステムのニーズが高まっている。
【０００３】
オートドキュメントフィーダーを具備するカラーイメージスキャナなどにおいては、通紙時の摩擦などにより通紙経路に紙粉などが発生し、大量に通紙を重ねていくと紙粉などのゴミや汚れが通紙経路に蓄積する。紙文書を電子イメージに落とし込む際、この読み取り走査線上のゴミや汚れが原因となって、スジ状の模様を形成し、電子イメージに異常画像が発生してしまう。
【０００４】
ゴミや汚れなどが読み取り走査線上に付着することに起因する異常画像を防止するため、通紙枚数に基づいて通紙経路のクリーニングをサービスマンやユーザが行い、ゴミや汚れなどを取り除く作業をすることがしばしばある。しかしながら、紙粉の発生頻度は、「紙質／紙厚」や「温湿度などの使用環境」にも影響されるため、通紙枚数に基づいたゴミや汚れなどを取り除く作業は、適当ではない。例えば、ゴミや汚れなどが付着していないにも関わらず取り除く作業を実施したり、ゴミや汚れが付着しているにも関わらず取り除く作業を実施しなかったりしてしまう。
【０００５】
また、ゴミや汚れなどは、シェーディング補正の基準データに入り込んだ場合に、特にスジ状の異常画像が発生しやすいことが知られている。これまで、シェーディング補正の基準データにゴミや汚れなどが入り込んだ場合、ゴミや汚れなどの影響がある画素の白基準データを隣接画素で補間して補正する方法が提案されている（例えば、下記特許文献１、２参照。）。
【０００６】
【特許文献１】特開２０００−１１５４８８号公報
【特許文献２】特開２００１−０８６３３３号公報
【発明の開示】
【発明が解決しようとする課題】
【０００７】
しかしながら、上記補正では近傍画素から補間演算によりデータ算出をするため、ゴミや汚れなどの状況に依存している。例えばゴミや汚れなどの状況は、ゴミの大きさや汚れの濃度変化量などである。そのため、補間演算による白基準データの補正には、対応できる限界がある。例えば、通紙経路のゴミや汚れなどを取り除いているわけではないので、ゴミや汚れなどが蓄積されて補正できない程度となってしまい、根本的な解決とはいえない。したがって、サービスマンやユーザがクリーニングを行い、ゴミや汚れなどを取り除くことが必要不可欠である。
【０００８】
通紙経路のクリーニングは、ユーザが清掃する場合、逆にゴミや汚れを固着させてしまう可能性や、他の部分に新たな汚れを発生させてしまう場合がある。また、安全性の面から機械内部に入り込んだゴミをユーザが機械を分解して取り除くことはない。したがって、サービスマンが定期メンテナンスの時に清掃し、あるいは、ユーザからのクレームに応じて、サービスマンが対応し、清掃していた。
【０００９】
通常サービスマンは、メンテナンス時に、機械外部から届く範囲で通紙経路のクリーニングを実施する。その後、まだ機械内部に入り込んでいるゴミの有無が正確に判断できないと、そのままメンテナンス終了とし、後日ユーザからクレームにより機械内部に入り込んだゴミの存在が発覚することもあった。メンテナンス終了後、機械の正常な動作を期待していたユーザにとっての使い勝手の面と、複数回メンテナンスを実施しなければならないサービスマンにおけるメンテナンス性の面の両面で効率が悪いものとなることがあった。
【００１０】
また、サービスマンが機械内部に入り込んだゴミを取り除く場合、機械の分解などが必要になるため必然的にメンテナンスに要する時間が長くなる。サービスマンが機械を分解して復旧するまでの間、機械は使えなくなるためユーザの作業効率を著しく劣化させる。したがって、機械の分解を伴うメンテナンスは必要最小限の範囲および回数とするべきである。
【００１１】
この発明は、上述した従来技術による問題点を解消するため、画像読み取りにおける走査線上のゴミや汚れなどの状態を的確に判断し、メンテナンスを実施することによって、メンテナンス性の向上やユーザの作業の効率化を図ることができるデジタル画像読み取り装置、デジタル画像読み取り方法およびデジタル画像読み取りプログラムを提供することを目的とする。
【課題を解決するための手段】
【００１２】
上述した課題を解決し、目的を達成するため、請求項１の発明にかかるデジタル画像読み取り装置は、基準色部材を読み取り素子で読み取った画像データに濃淡補正を行うシェーディング手段と、前記シェーディング手段により濃淡補正を施された前記画像データをユーザからの指示に基づいて鮮鋭化する鮮鋭化手段と、前記鮮鋭化手段により鮮鋭化された前記画像データを記憶し、装置に対して着脱可能な記憶手段と、を備えることを特徴とする。
【００１３】
この請求項１の発明によれば、サービスマンからの指示にしたがって、読み取った基準白板の画像データを鮮鋭化しながら記憶する。紙紛や埃などは非常に微細なので、画像データにおいて小さな変化量であるが、鮮鋭化することにより、ハッキリとした値になる。その後、画像データをデジタル画像読み取り装置外のＰＣなどでチェックすることで、サービスマンが基準白板の画像データを直接確認可能となる。つまり、サービスマンは、基準白板走査線上に付着したゴミや汚れの影響を一目瞭然に判別可能とし、そのことによる異常画像を発生してしまうという装置の状態を正確に把握することが可能となる。したがって、サービスマンなどによるメンテナンス（通紙経路のクリーニング）が、装置外部から届く範囲のみの実施か、あるいは必要に応じて装置内部までの実施かを正確に判断でき、不必要なメンテナンス時間の長時間化や、再クレームによるユーザの使い勝手とサービスマンのメンテナンス性の効率劣化を著しく解決することができる。また、外部のＰＣでチェックしている間は、ユーザはデジタル画像読み取り装置を使用できることになるため、ユーザの使い勝手の向上を図ることができる。
【００１４】
また、請求項２の発明にかかるデジタル画像読み取り装置は、請求項１に記載の発明において、前記記憶手段は、前記鮮鋭化手段により鮮鋭化された前記画像データを記憶する際に、当該画像データとともに当該画像データの付属情報をあわせて記憶するものであることを特徴とする。
【００１５】
この請求項２の発明によれば、画像データの付属情報をあわせて記憶できる。つまり、画像データのサイズやビット深度、解像度などの付属情報を汎用の画像フォーマットのヘッダファイルの形態で追加することにより、ＰＣなどでチェック際に、汎用のイメージビューアが使用できる。したがって、サービスマンのメンテナンス用ツールの開発コストを低く押さえ、デジタル画像読み取り装置を低コストに提供することができる。
【００１６】
また、請求項３の発明にかかるデジタル画像読み取り装置は、請求項１に記載の発明において、前記鮮鋭化手段は、前記画像データを鮮鋭化する度合いを複数備え、当該鮮鋭化する度合いに応じて鮮鋭化した前記画像データを前記記憶手段に記憶することを特徴とする。
【００１７】
この請求項３の発明によれば、鮮鋭化する度合いを複数持ち、サービスマンからの指示にしたがってその度合いを調整可能とすることによって、ユーザの使用状況（紙種や環境によって、紙紛や埃の大きさなどの発生状況が異なる）に対する対応力の向上を図ることができる。
【００１８】
また、請求項４の発明にかかるデジタル画像読み取り装置は、請求項１〜３のいずれか一つに記載の発明において、前記記憶手段は、前記鮮鋭化手段により鮮鋭化された前記画像データを記憶する際に、前記画像データに縮小処理を施すことを特徴とする。
【００１９】
この請求項４の発明によれば、画像処理に搭載している機能（縮小処理）を効率的に活用しながら、記憶する画像データのサイズを小さくすることができる。
【００２０】
また、請求項５の発明にかかるデジタル画像読み取り方法は、基準色部材を読み取り素子で読み取った画像データに濃淡補正を行うシェーディング工程と、前記シェーディング工程により濃淡補正を施された前記画像データをユーザからの指示に基づいて鮮鋭化する鮮鋭化工程と、前記鮮鋭化工程により鮮鋭化された前記画像データを記憶し、装置に対して着脱可能な記憶工程と、を含むことを特徴とする。
【００２１】
この請求項５の発明によれば、サービスマンからの指示にしたがって、読み取った基準白板の画像データを鮮鋭化しながら記憶する。紙紛や埃などは非常に微細なので、画像データにおいて小さな変化量であるが、鮮鋭化することにより、ハッキリとした値になる。その後、画像データをデジタル画像読み取り装置外のＰＣなどでチェックすることで、サービスマンが基準白板の画像データを直接確認可能となる。つまり、サービスマンは、基準白板走査線上に付着したゴミや汚れの影響を一目瞭然に判別可能とし、そのことによる異常画像を発生してしまうという装置の状態を正確に把握することが可能となる。したがって、サービスマンなどによるメンテナンス（通紙経路のクリーニング）が、装置外部から届く範囲のみの実施か、あるいは必要に応じて装置内部までの実施かを正確に判断でき、不必要なメンテナンス時間の長時間化や、再クレームによるユーザの使い勝手とサービスマンのメンテナンス性の効率劣化を著しく解決することができる。また、外部のＰＣでチェックしている間は、ユーザはデジタル画像読み取り装置を使用できることになるため、ユーザの使い勝手の向上を図ることができる。
【００２２】
また、請求項６の発明にかかるデジタル画像読み取りプログラムは、請求項５に記載のデジタル画像読み取り方法をコンピュータに実行させることを特徴とする。
【００２３】
この請求項６の発明によれば、請求項５に記載のデジタル画像読み取り方法をコンピュータに実行させることができる。
【発明の効果】
【００２４】
本発明にかかるデジタル画像読み取り装置、デジタル画像読み取り方法およびデジタル画像読み取りプログラムによれば、走査線上のゴミや汚れなどの状態を的確に判断し、メンテナンスを実施することができるため、メンテナンス性の向上や、ユーザの作業の効率化を図ることができるという効果を奏する。
【発明を実施するための最良の形態】
【００２５】
以下に添付図面を参照して、この発明にかかるデジタル画像読み取り装置、デジタル画像読み取り方法およびデジタル画像読み取りプログラムの好適な実施の形態を詳細に説明する。
【００２６】
（実施の形態）
（デジタル画像読み取り装置の構成）
図１は、本発明の実施の形態にかかるデジタル画像読み取り装置の全体構成を示す側断面図である。本発明の実施の形態にかかるデジタル画像読み取り装置１００は、原稿台ガラス１０１と、第１ミラー１０２と、照明ランプ１０３と、第２ミラー１０４と、第３ミラー１０５と、ＣＣＤ（Ｃｈａｒｇｅ  Ｃｏｕｐｌｅｄ  Ｄｅｖｉｃｅ）１０６と、走行体モーター１０７と、原稿トレイ１０８と、ピックアップローラー１０９と、レジストローラー対１１０と、搬送ドラム１１１と、搬送ローラー１１２と、排紙ローラー対１１３、１１４と、排紙トレイ１１５と、搬送モーター１１６と、レンズ１１７と、基準白板１１８と、を含み構成されている。
【００２７】
原稿台ガラス１０１は、原稿を原稿台ガラス１０１上に設置できる。第１ミラー１０２と一体に構成された照明ランプ１０３は、原稿台ガラス１０１上に置かれた原稿を照射する。第１ミラー１０２および一体に構成された第２ミラー１０４と第３ミラー１０５は、照明ランプ１０３により照射された反射光を走査する。レンズ１１７は、第１ミラー１０２および一体に構成された第２ミラー１０４と第３ミラー１０５により走査された反射光を集束し、ＣＣＤ１０６に照射する。ＣＣＤ１０６は、レンズ１１７により集束され照射された反射光を光電変換する。
【００２８】
第１ミラー１０２、照明ランプ１０３、第２ミラー１０４、第３ミラー１０５は、走行体モーター１０７を駆動源として、図示のＡ方向に移動可能となっている。例えば第１ミラー１０２は移動して第１ミラー１０２ａに、照明ランプ１０３は移動して１０３ａに、第２ミラー１０４は移動して第２ミラー１０４ａに、第３ミラー１０５は移動して第３ミラー１０５ａに、それぞれ位置することができる。
【００２９】
また、原稿トレイ１０８は、原稿を積載することができる。ピックアップローラー１０９、レジストローラー対１１０、搬送ドラム１１１、搬送ローラー１１２により読み取り位置Ｂを経て、排紙ローラー対１１３、１１４へ送り込む。排紙ローラー対１１３、１１４は、ピックアップローラー１０９、レジストローラー対１１０、搬送ドラム１１１、搬送ローラー１１２により読み取り位置Ｂを経て送り込まれた原稿を排紙トレイ１１５上に排出する。
【００３０】
照明ランプ１０３は、原稿が読み取り位置Ｂを通過する際に、読み取り位置Ｂ近傍に移動して原稿を照射する。レンズ１１７は、照明ランプ１０３により原稿に照射された反射光を、第１ミラー１０２および一体に構成された第２ミラー１０４と第３ミラー１０５を介して集束し、ＣＣＤ１０６に照射する。ＣＣＤ１０６は、レンズ１１７により集束され、照射された反射光を光電変換する。上記処理におけるピックアップローラー１０９、レジストローラー対１１０は、不図示の給紙モーターにより駆動され、搬送ドラム１１１、搬送ローラー１１２、排紙ローラー対１１３、１１４は、搬送モーター１１６により駆動される。
【００３１】
（デジタル画像読み取り装置におけるビデオ処理）
図２は、本発明の実施の形態にかかるデジタル画像読み取り装置におけるビデオ処理の機能を示すブロック図である。本発明の実施の形態にかかるデジタル画像読み取り装置１００は、センサ部２０１と、シェーディング補正処理部２０２と、メモリ（１）２０３と、変倍処理部２０４と、画像処理部２０５と、メモリコントローラ２０６と、メモリ（２）２０７と、Ｉ／Ｆ（インターフェイス）コントローラ２０８とＳＤ（Ｓｅｃｕｒｅ  Ｄｉｇｉｔａｌ）−ＣＡＲＤコネクタ２０９と、ＣＰＵ（セントラルプロセッシングユニット）２１０と、を含み構成されている。また、画像処理部２０５は、フィルタ処理部２１１と、固定閾値２値化部２１２と、ディザ処理部２１３と、画像信号選択部２１４と、を含み構成されている。また、本発明の実施の形態にかかるデジタル画像読み取り装置１００は、ＳＤ−ＣＡＲＤメモリ２２０と、ホスト２２１と、に接続されており、ホスト２２１はＣＲＴ（Ｃａｔｈｏｄｅ  Ｒａｙ  Ｔｕｂｅ）２２２を有している。
【００３２】
センサ部２０１は、ＣＣＤ光電変換素子を用いたラインセンサとＡ／Ｄコンバータとそれらの駆動回路で構成されている。ラインセンサは原稿をスキャンすることで濃淡の電気信号を持ったビデオデータを出力し、Ａ／Ｄコンバータはライセンサから出力された濃淡電気信号を持ったビデオデータを８ビットのデジタル信号に変換し、シェーディング補正処理部２０２に出力する。
【００３３】
センサ部２０１からの出力されたデジタル信号に変換されたビデオデータは、ＣＣＤ１０６の画素ごとの感度ムラや、照明ランプ１０３からの光量が走査線上の中央部で一番高くなることによる照度歪みなどが原因で、一様な濃度の原稿を読み取ったにもかかわらずバラツキや歪みを持っている。この「バラツキ、歪み」を補正するために、シェーディング補正処理部２０２は均一白となる基準白板１１８のデータを取得し、「白基準データ」としてメモリ（１）２０３に保存する（図４参照）。すなわち主走査方向の「バラツキ、歪み」の具合を示すデータがメモリ（１）２０３に取り込まれる。
【００３４】
シェーディング補正処理部２０２は、センサ部２０１から出力される原稿を読み取ったビデオデータに対して、画素ごとに対応する「白基準データ」からその「バラツキ、歪み」を補正し、次段の変倍処理部２０４に出力する。この「白基準データ」の取り込みは、電源ＯＮ後に、原稿をスキャンするごとに基準白板１１８のデータを読み取ることで行っている。
【００３５】
変倍処理部２０４はユーザから指定される変倍率にしたがって、シェーディング補正処理部２０２から出力されたビデオデータに拡大あるいは縮小処理を施す。本実施の形態では主副独立の変倍処理を行っている。主走査方向の読み取り密度変換は電気変倍により行う。レンズ１１７の絞り（集束率）およびＣＣＤ１０６上の読み取り画素数は固定であるため、主走査方向の読み取り密度は一定値となる。本実施の形態ではこの主走査方向の読み取り密度が６００ｄｐｉ（ｄｏｔ  ｐｅｒ  ｉｎｃｈ）になるように構成している。
【００３６】
変倍処理部２０４は、上記６００ｄｐｉの読み取りデータに対して、不図示のラインメモリを使用した補間処理を行いながら間引き処理や２度書きを行うことで、任意のｄｐｉに密度変換する。例えば、３００ｄｐｉに縮小（５０％）するには、６００ｄｐｉ読み取りデータの隣り合う画素を補間処理しながら間引き処理し、２画素から１画素に変換する。
【００３７】
また、１２００ｄｐｉに拡大（２００％）するには、１画素を補間処理しながら２度書きすることで２画素に変換する。副走査方向の読み取り密度変換は機械変倍により行う。例えば、走行体モーター１０７および搬送モーター１１６にステッピングモーターを使用し、ＣＰＵ２１０の制御にしたがい、これらモーターの駆動スピードを変えることによって、原稿の副走査方向の走査スピードを変化させ、副走査方向の読み取り密度を変えることによって密度変換する。例えば、６００ｄｐｉでの走査スピード：λに対して、３００ｄｐｉ（５０％縮小）で読み取るには、走査スピード：２×λで走査するようにモーターを駆動し、１２００ｄｐｉ（２００％拡大）で読み取るには、走査スピード：λ／２で走査するようにモーターを駆動する。
【００３８】
変倍処理部２０４は、変倍処理部２０４で上記変倍処理を施されたビデオデータを画像処理部２０５へ出力する。画像処理部２０５は、フィルタ処理部２１１、固定閾値２値化部２１２、ディザ処理部２１３などで各種画像処理を行い、メモリコントローラ２０６へビデオデータを出力する。
【００３９】
フィルタ処理部２１１は、変倍処理部２０４から出力されたビデオデータを鮮鋭化するためのＭＴＦ（Ｍｏｄｕｌａｔｉｏｎ  Ｔｒａｎｓｆｅｒ  Ｆｕｎｃｔｉｏｎ）補正処理や、滑らかさを向上するための平滑化処理を行う。また、固定閾値２値化部２１２は、フィルタ処理部２１１で処理されたビデオデータを所定の閾値で２値化することによって「クッキリ」とした２値画像を形成することができる。また、ディザ処理部２１３は、フィルタ処理部２１１で処理されたビデオデータを擬似中間調処理を用いた２値化処理で、階調性豊かで滑らかな２値画像を生成することができる。
【００４０】
そして、画像信号選択部２１４は、ユーザが設定する読み取りモード情報にしたがって、固定閾値２値化部２１２で固定閾値２値化された「クッキリ」した２値画像か、ディザ処理部２１３でディザ処理された階調性豊かで滑らかな２値画像か、フィルタ処理部２１１でフィルタ処理のみされたデータサイズは大きいが再現品質が良い多値画像か、を選択し、メモリコントローラ２０６へ出力する。このときの読み取りモード情報は、操作表示装置（図３参照）やホスト２２１などを介してユーザにより設定できる構成であり、制御全体を司るＣＰＵ２１０が画像信号選択部２１４に通知する。
【００４１】
例えばユーザは、文字部の視読性や再現性を良くするためハッキリ・クッキリなるような画像を得たい場合は、フィルタ処理部２１１でＭＴＦ補正処理を行い固定閾値２値化した２値化画像を選択する。また、絵柄を階調性豊かで滑らかに再現した画像を得たい場合は、フィルタ処理部２１１で平滑化処理を行いディザ処理した２値画像を選択する。また、データサイズが大きくなることを気にすることなく、原稿の情報をより詳細に再現した画像を得たい場合は、多値画像を選択する。
【００４２】
メモリコントローラ２０６は、画像処理部２０５で画像処理が施されたビデオデータをメモリ（２）２０７に蓄積する。あわせて、Ｉ／Ｆコントローラ２０８からの要求にしたがい、メモリ（２）２０７に蓄積したビデオデータを外部に接続されたホスト２２１や、ＳＤ−ＣＡＲＤコネクタ２０９を介した、着脱できる外部メモリであるＳＤ−ＣＡＲＤメモリ２２０に転送する際のメモリ制御を行う。また、制御全体を司るＣＰＵ２１０は、このメモリコントローラ２０６を経由してメモリ（２）２０７を読み書きすることができる。
【００４３】
メモリ（２）２０７は、読み取りスピードと外部に接続されたホスト２２１などへビデオデータ転送スピード間に発生する速度差を吸収するために設けた、ビデオデータを複数ページ記憶可能なメモリである。
【００４４】
Ｉ／Ｆコントローラ２０８は、本デジタル画像読み取り装置と外部装置との接続Ｉ／Ｆに準拠したデータ転送を行うコントローラで、バスのアービトレーション、データの転送、本読み取り装置制御全体を司るＣＰＵ２１０との制御コマンド（各種モード設定）のやりとりなどを行う。本実施の形態での外部接続Ｉ／Ｆとは、ＳＣＳＩのＩ／Ｆを使用したホスト２２１とＳＤ−ＣＡＲＤメモリ２２０である。
【００４５】
ホスト２２１、ＣＲＴ２２２は、いわゆるパーソナルコンピュータである。本デジタル画像読み取り装置１００のユーザは、パーソナルコンピュータにインストールされたアプリケーションソフトを介して、各種モードを設定して所望のスキャン動作を実行し、コンピュータにデジタル画像イメージを取り込むことができる構成となっている。
【００４６】
ＳＤ−ＣＡＲＤコネクタ２０９、ＳＤ−ＣＡＲＤメモリ２２０は、フラッシュメモリを内蔵した小型メモリ装置で、簡易に装置着脱可能で携帯性に優れていることから近年普及したメモリ装置である。スマートメディア、コンパクトフラッシュ（登録商標）、メモリスティック、ＳＤカードなどでもよい。
【００４７】
ＣＰＵ２１０は、本デジタル画像読み取り装置１００全体の制御を司るＣＰＵで、各回路／コントローラ／メモリ部の設定やステータスチェックを行う。
【００４８】
図３は、本発明の実施の形態にかかるデジタル画像読み取り装置における操作表示装置を示すブロック図である。操作表示装置３００はユーザとのインターフェースを行う部分で、操作表示を制御する操作表示制御部３０１と、マシンの状態や操作方法を促す表示を行うＬＣＤ（液晶表示装置）３０２と、ユーザからの入力を検知するスイッチ部３０３から構成されている。ＬＣＤ３０２はＬＣＤ３０２を駆動する回路を有しており、操作表示制御部３０１からの指示にしたがって、ユーザに対する各種情報を表示する。
【００４９】
スイッチ部３０３はスイッチ郡とその駆動回路から構成され、ユーザによってスイッチが操作されるとその情報を操作表示制御部３０１に出力する。操作表示制御部３０１は、本実施の形態にかかるデジタル画像読み取り装置１００全体の制御を司るＣＰＵ２１０とＬＣＤ３０２とスイッチ部３０３とのやりとりを制御する回路である。すなわちＣＰＵ２１０から指示される表示コマンドにしたがい、ＬＣＤ３０２に指示された内容を表示するようにＬＣＤ回路を駆動させるとともに、スイッチ部３０３からの入力を検知すると、どのスイッチがどのように操作されたかの情報をＣＰＵ２１０に知らせる。
【００５０】
（デジタル画像読み取り装置におけるゴミや汚れの確認）
次に、基準白板１１８の走査線上に付着したゴミや汚れの影響を確認する方法を説明する。
【００５１】
図４は、本発明の実施の形態にかかるシェーディング補正処理部２０２の詳細な機能を示すブロック図である。本発明の実施の形態にかかるシェーディング補正処理部２０２は、白基準生成部４０１と、シェーディング補正演算部４０２と、セレクタ４０３と、を含む構成されている。
【００５２】
基準白板１１８の読み取り動作時には、センサ部２０１は基準白板１１８の読み取りビデオデータを、白基準生成部４０１に出力する。白基準生成部４０１は、最初の１ライン目のビデオデータを、そのままメモリ（１）２０３に蓄積し、続いて２ライン目からのビデオデータを、画素ごとにメモリ（１）２０３に蓄積したデータを読み出し、その加重平均処理を行いながらメモリ（１）２０３に書き戻す。加重平均処理は、次式により行う。
【００５３】
ＳＤｎ（ｌ）＝｛Ｄｎ（ｌ）＋ＳＤｎ（ｌ−１）｝／２
・Ｄｎ（ｌ）：センサから入力される基準白板１１８の読み取りビデオデータ
・ＳＤｎ（ｌ−１）：メモリ（１）に蓄積された前ラインの白基準データ
・ＳＤｎ（ｌ）：新しく生成した白基準データ
・ｎ：１ライン中の画素位置を示し、ｎ＝１〜７２００の値をとる。
・ｌ：ライン数を示す。
※  ｌ＝１のときは、
ＳＤｎ（１）＝  Ｄｎ（１）
【００５４】
この基準白板１１８の読み取りにより、メモリ（１）２０３には白基準データが生成蓄積される。なお、この時にはシェーディング補正演算部４０２は停止している。
【００５５】
続いて、通常の原稿読み取り動作時には、センサ部２０１は原稿読み取りビデオデータを、シェーディング補正演算部４０２に出力する。そして、シェーディング補正演算部４０２は、メモリ（１）２０３に蓄積された白基準データを参照して、入力されたビデオデータにシェーディング補正を施す。その後、シェーディング補正演算部４０２は、シェーディング補正を施したビデオデータをセレクタ４０３に出力する。なお、この時は白基準生成部４０１は停止している。セレクタ４０３はシェーディング補正演算部４０２から入力されたデータを選択し、変倍処理部２０４に出力する。
【００５６】
次に、基準白板１１８のデータのチェック動作に関して説明する。基準白板１１８のデータをチェックする際には、サービスマンはＳＤ−ＣＡＲＤメモリ２２０をＳＤ−ＣＡＲＤコネクタ２０９に装着する。次に操作表示装置３００を操作し、不図示の「基準白板１１８データチェック」のスイッチを押下する。ＣＰＵ２１０は操作表示装置３００から「基準白板１１８データチェック」のスイッチ入力を検知すると、基準白板１１８の読み取り動作を行う。
【００５７】
基準白板１１８の読み取り動作により、センサ部２０１は基準白板１１８を読み取った画像データをシェーディング補正処理部２０２に出力する。このときにセレクタ４０３は、シェーディング補正演算部４０２ではなく、センサ部２０１から入力された基準白板１１８を読み取った画像データを選択し、変倍処理部２０４に出力する。
【００５８】
変倍処理部２０４は、特に変倍処理を行ず、センサ部２０１から入力された基準白板１１８を読み取った画像データを画像処理部２０５に出力する。続いて、画像処理部２０５のフィルタ処理部２１１は、変倍処理部２０４から入力された画像データに対し鮮鋭化するためのＭＴＦ補正処理を施して画像信号選択部２１４へ出力する。画像信号選択部２１４は、フィルタ処理部２１１から入力された多値ビデオデータを選択しメモリコントローラ２０６に出力する。
【００５９】
メモリコントローラ２０６は、画像信号選択部２１４から入力された基準白板１１８を読み取った画像データをメモリ（２）２０７に蓄積する。Ｉ／Ｆコントローラ２０８はメモリコントローラ２０６を介してメモリ（２）２０７内の画像データを、ＳＤ−ＣＡＲＤコネクタ２０９を介してＳＤ−ＣＡＲＤメモリ２２０に出力する。ＣＰＵ２１０はメモリ（２）２０７内の画像データがＳＤ−ＣＡＲＤメモリ２２０に出力し終わるとその旨を操作表示装置３００に出力表示する。
【００６０】
サービスマンは、操作表示装置３００の出力表示を確認して、画像データの出力が終了したことを確認すると、ＳＤ−ＣＡＲＤメモリ２２０をデジタル画像読み取り装置１００から外す。次にＳＤ−ＣＡＲＤメモリ２２０をノートＰＣ（パーソナルコンピュータ）などに接続し、ＳＤ−ＣＡＲＤメモリ２２０内の基準白板１１８を読み取った画像データを、ＨＥＸ（Ｈｅｘａｄｅｃｉｍａｌ  Ｎｕｍｂｒｅ）ダンプさせてチェックする。
【００６１】
図５は、本発明の実施の形態にかかる基準白板を読み取った画像データのＨＥＸダンプによる表示例を示す図である。サービスマンは、ノートＰＣ５００に接続されたノートＰＣ用のＳＤ−ＣＡＲＤのＩ／Ｆ装置５０１にＳＤ−ＣＡＲＤメモリ２２０を接続して、基準白板１１８を読み取った画像データを表示させる。例えば表示は、ＨＥＸダンプさせて表示してもよく、ＨＥＸダンプによる表示例５０２では、アドレス５０３とアドレス５０３に対応するデータ５０４が表示される構成となっている。本図では、正常なデータ５０６の中に、周りとは異なっている異常なデータ５０５が確認できる。
【００６２】
サービスマンは、このＨＥＸダンプによる表示例５０２のデータ５０４の数字を確認することにより、基準白板１１８の走査線上に付着したゴミや汚れの影響が一目瞭然に確認可能となる。例えば、サービスマンなどがメンテナンス（通紙経路のクリーニング）を行ったあとにチェックすることにより、基準白板１１８の走査線上に付着したゴミや汚れがうまく除去できたかを確認することができる。また、クリーニング後においても汚れなどが認められる場合は、クリーニングした範囲外にまだゴミなどが入り込んでいるものとして、装置内部のクリーニングまで実施することができる。
【００６３】
基準白板１１８のデータのチェックに関しては、ＨＥＸダンプによるチェックではなく、画像データのイメージビューアでの表示によるチェックができる構成としてもよい。以下に基準白板１１８のデータを汎用のイメージビューアで表示してチェックする動作に関して説明する。
【００６４】
基準白板１１８のデータをチェックする際には、サービスマンはＳＤ−ＣＡＲＤメモリ２２０をＳＤ−ＣＡＲＤコネクタ２０９に装着する。次に操作表示装置３００を操作し、不図示の「基準白板１１８データチェック」のスイッチを押下する。ＣＰＵ２１０は操作表示装置３００から「基準白板１１８データチェック」のスイッチ入力を検知すると、基準白板１１８の読み取り動作を行う。
【００６５】
基準白板１１８の読み取り動作により、センサ部２０１は基準白板１１８を読み取った画像データをシェーディング補正処理部２０２に出力する。このときにセレクタ４０３は、シェーディング補正演算部４０２ではなく、センサ部２０１から入力された基準白板１１８を読み取った画像データを選択し、変倍処理部２０４に出力する。
【００６６】
変倍処理部２０４は、特に変倍処理を行ずセンサ部２０１から入力された基準白板１１８を読み取った画像データを画像処理部２０５に出力する。続いて、画像処理部２０５のフィルタ処理部２１１は、変倍処理部２０４から入力された画像データに対し鮮鋭化するためＭＴＦ補正処理を施して画像信号選択部２１４へ出力する。画像信号選択部２１４は、フィルタ処理部２１１から入力された多値ビデオデータを選択しメモリコントローラ２０６に出力する。
【００６７】
メモリコントローラ２０６は、画像信号選択部２１４から入力された基準白板１１８を読み取った画像データをメモリ（２）２０７に蓄積する。そして、ＣＰＵ２１０はメモリ（２）２０７に蓄積された画像データに対し、サイズやビット深度、解像度などの付属情報を、汎用画像フォーマットのヘッダデータの形態で追記する。本実施の形態ではＴＩＦＦ（Ｔａｇｇｅｄ  Ｉｍａｇｅ  Ｆｉｌｅ  Ｆｏｒｍａｔ）ファイルフォーマットを使用した。なお、ＪＰＥＧ（Ｊｏｉｎｔ  Ｐｈｏｔｏｇｒａｐｈｉｃ  Ｅｘｐｅｒｔｓ  Ｇｒｏｕｐ）やＢＭＰ（Ｂｉｔｍａｐ）ファイルフォーマットなどでもよい。
【００６８】
Ｉ／Ｆコントローラ２０８はメモリコントローラ２０６を介してメモリ（２）２０７内のＴＩＦＦファイルフォーマットのイメージデータ化された基準白板１１８を読み取った画像データを、ＳＤ−ＣＡＲＤコネクタ２０９を介してＳＤ−ＣＡＲＤメモリ２２０に出力する。ＣＰＵ２１０はメモリ（２）２０７内の画像データがＳＤ−ＣＡＲＤメモリ２２０に出力し終わるとその旨を操作表示装置３００に出力表示する。
【００６９】
サービスマンは、操作表示装置３００の出力表示を確認して、画像データの出力が終了したことを確認すると、ＳＤ−ＣＡＲＤメモリ２２０をデジタル画像読み取り装置１００から外す。次にＳＤ−ＣＡＲＤメモリ２２０をノートＰＣ５００などに接続し、ＳＤ−ＣＡＲＤメモリ２２０内の基準白板１１８を読み取った画像データを、汎用のイメージビューアに表示させてチェックする。
【００７０】
図６は、本発明の実施の形態にかかる基準白板を読み取った画像データのイメージビューアによる表示例を示す図である。サービスマンは、ノートＰＣ５００に接続されたノートＰＣ用のＳＤ−ＣＡＲＤのＩ／Ｆ装置５０１にＳＤ−ＣＡＲＤメモリ２２０を接続して、ＴＩＦＦファイルフォーマットのイメージデータ化された基準白板１１８を読み取った画像データ汎用のイメージビューアで表示させる。ＴＩＦＦファイルフォーマットのイメージビューアによる表示例６００では、周りとは異なっているスジ状の画像６０１が確認できる。
【００７１】
サービスマンは、このイメージビューアによる表示例６００の画像を確認することにより、基準白板１１８の走査線上に付着したゴミや汚れの影響が一目瞭然に確認可能となる。例えば、サービスマンなどがメンテナンス（通紙経路のクリーニング）を行ったあとにチェックすることにより、基準白板１１８の走査線上に付着したゴミや汚れがうまく除去できたかを確認することができる。また、クリーニング後においても汚れなどが認められる場合は、クリーニングした範囲外にまだゴミなどが入り込んでいるものとして、装置内部のクリーニングまで実施することができる。
【００７２】
基準白板１１８のデータのチェックに関しては、ゴミや汚れなどを鮮鋭化する程度を選択できる構成としてもよい。以下に基準白板１１８のデータを鮮鋭化するためのＭＴＦ補正処理の程度を選択して表示し、チェックする動作に関して説明する。
【００７３】
基準白板１１８のデータをチェックする際には、サービスマンはＳＤ−ＣＡＲＤメモリ２２０をＳＤ−ＣＡＲＤコネクタ２０９に装着する。次に操作表示装置３００を操作し、不図示の「基準白板１１８データチェック：強」、「基準白板１１８データチェック：中」、「基準白板１１８データチェック：弱」のいずれか１つのスイッチを押下する。ＣＰＵ２１０は操作表示装置３００から「基準白板１１８データチェック：強」、「基準白板１１８データチェック：中」、「基準白板１１８データチェック：弱」のいずれかのスイッチ入力を検知すると、基準白板１１８の読み取り動作を行う。
【００７４】
基準白板１１８の読み取り動作により、センサ部２０１は基準白板１１８を読み取った画像データをシェーディング補正処理部２０２に出力する。このときにセレクタ４０３は、シェーディング補正演算部４０２ではなく、センサ部２０１から入力された基準白板１１８を読み取った画像データを選択し、変倍処理部２０４に出力する。
【００７５】
変倍処理部２０４は、特に変倍処理を行ず、センサ部２０１から入力された基準白板１１８を読み取った画像データを画像処理部２０５に出力する。続いて、画像処理部２０５のフィルタ処理部２１１は、変倍処理部２０４から入力された画像データに対し、押下された「基準白板１１８データチェック：強」、「基準白板１１８データチェック：中」、「基準白板１１８データチェック：弱」のいずれかのスイッチ入力の「強／中／弱」に基づいて、ＭＴＦ補正処理の強度を切り替えた処理を施し、処理した画像データを画像信号選択部２１４へ出力する。
【００７６】
ＭＴＦ補正処理の強度を切り替えることにより、基準白板１１８の走査線上に付着したゴミや汚れの影響の視覚認識性能が変化することになる。例えば、ゴミや汚れの原因となる紙粉は、ユーザが使う紙種や周囲の環境（温度や湿度）によって大きさ・形状・色などが異なる。これらの発生環境によるバラツキは画像データに如実に現れる。サービスマンはこういったユーザの使用環境によって、ゴミや汚れが視覚的認識しにくい場合においても、このフィルタの強度を切り替えることにより、抜けや漏れなく対応できる（図７参照）。
【００７７】
その後、画像信号選択部２１４は、フィルタ処理部２１１から入力されたＭＴＦ補正強度を切り替えた処理をした多値ビデオデータを選択しメモリコントローラ２０６に出力する。
【００７８】
メモリコントローラ２０６は、画像信号選択部２１４から入力された基準白板１１８を読み取った画像データをメモリ（２）２０７に蓄積する。そして、ＣＰＵ２１０はメモリ（２）２０７に蓄積された画像データに対し、サイズやビット深度、解像度などの付属情報を、汎用の画像フォーマットのヘッダデータの形態で追記する。本実施の形態ではＴＩＦＦファイルフォーマットを使用した。なお、ＪＰＥＧやＢＭＰファイルフォーマットなどでもよい。
【００７９】
Ｉ／Ｆコントローラ２０８はメモリコントローラ２０６を介してメモリ（２）２０７内のＴＩＦＦファイルフォーマットのイメージデータ化された基準白板１１８を読み取った画像データを、ＳＣ−ＣＡＲＤコネクタ２０９を介してＳＤ−ＣＡＲＤメモリ２２０に出力する。ＣＰＵ２１０はメモリ（２）２０７内の画像データがＳＤ−ＣＡＲＤメモリ２２０に出力し終わるとその旨を操作表示装置３００に出力表示する。
【００８０】
サービスマンは、操作表示装置３００の出力表示を確認して、画像データの出力が終了したことを確認すると、ＳＤ−ＣＡＲＤメモリ２２０をデジタル画像読み取り装置１００から外す。次にＳＤ−ＣＡＲＤメモリ２２０をノートＰＣ５００などに接続し、ＳＤ−ＣＡＲＤメモリ２２０内の基準白板１１８を読み取った画像データを、汎用のイメージビューアに表示させてチェックする。
【００８１】
ここで表示するイメージビューアは、図６の説明とほぼ同様にしてノートＰＣ５００に表示する構成でよい。また、ここで表示するイメージビューアは、前述のようにＭＴＦ補正処理の強度を切り替えたものである。図７は、同じゴミに対してＭＴＦ補正強度を「強／中／弱」とした場合の視覚認識性の違いの参考例を示す図である。「基準白板１１８データチェック：弱」を押下し、ＭＴＦ補正処理の強度を「弱」とした画像データ７０１と、「基準白板１１８データチェック：中」を押下し、ＭＴＦ補正処理の強度を「中」とした画像データ７０２と、「基準白板１１８データチェック：強」を押下し、ＭＴＦ補正処理の強度を「強」とした画像データ７０３は、それぞれスジ状画像７０４〜７０６を含んでいる。本図より、ＭＴＦ補正処理の強度が「強」であればスジ状画像７０６が太く確認でき、ＭＴＦ補正処理の強度が「弱」であればスジ状画像７０４は、細く確認できる。なお、本図では、スジ状模様の太さが変化させているが、実際のＭＴＦ補正処理ではスジ状模様の濃淡に変化が現れる構成である。
【００８２】
この画像データ７０１〜７０３を確認することにより、ユーザごとに様々に発生状況が異なる基準白板１１８の走査線上に付着したゴミや汚れの影響に対しても、サービスマンは安定して確認可能となった。
【００８３】
また、基準白板１１８のデータのチェックに関しては、変倍処理部２０４で画像データを縮小できる構成としてもよい。以下に、変倍処理部２０４で画像データを縮小する構成について説明する。
【００８４】
基準白板１１８のデータをチェックする際には、サービスマンはＳＤ−ＣＡＲＤメモリ２２０をＳＤ−ＣＡＲＤコネクタ２０９に装着する。次に操作表示装置３００を操作し、不図示の「基準白板１１８データチェック」のスイッチを押下する。ＣＰＵ２１０は操作表示装置３００から「基準白板１１８データチェック」のスイッチ入力を検知すると、基準白板１１８の読み取り動作を行う。
【００８５】
基準白板１１８の読み取り動作により、センサ部２０１は基準白板１１８を読み取った画像データをシェーディング補正処理部２０２に出力する。このときにセレクタ４０３は、シェーディング補正演算部４０２ではなく、センサ部２０１から入力された基準白板１１８を読み取った画像データを選択し、変倍処理部２０４に出力する。
【００８６】
ここで、変倍処理部２０４は、センサ部２０１から入力された画像データに対し縮小処理を施し、画像処理部２０５に出力する。例えば、その縮小率は５０％などでよい。なお、縮小率は、ユーザが設定できる構成でも、あらかじめ設定されている構成でもよい。以降は、図５あるいは図６あるいは図７の説明と同様の処理を行うことにより、基準白板１１８上に不直下ゴミや汚れがうまく除去できたかを確認することができる。また、クリーニング後においても汚れなどが認められる場合は、クリーニングした範囲外にまだゴミなどが入り込んでいるものとして、装置内部のクリーニングまで実施することができる。また、画像データを縮小できるため、ＳＤ−ＣＡＲＤメモリ２２０内の必要なメモリサイズを小さくすることが可能となり、データ処理にかかる時間およびコストが低減され、効率的に上述の処理が実施できる。
【００８７】
以上説明したように、デジタル画像読み取り装置、デジタル画像読み取り方法およびデジタル画像読み取りプログラムによれば、基準白板走査線上に付着した汚れの状況を的確に把握することができる。したがって、サービスマンによるメンテナンスおよびクリーニングは、装置外部から届く範囲の実施となるか、あるいは必要に応じて装置内部までの実施かを正確に判断でき、不必要なメンテナンスやユーザの再クレームを無くすため、メンテナンス性の向上とユーザの作業効率の向上を図ることができる。
【００８８】
また、サービスマンは、ノートＰＣで画像データをチェックするため、ユーザはチェックの時間にデジタル画像読み取り装置を使用することができることとなり、ユーザの作業効率が向上する。
【００８９】
また、画像データを汎用のイメージビューアで処理できるものとしているため、サービスマンのメンテナンス用ツールの開発にかかるコストを抑えることができる。また、画像データをユーザの使用状況に応じて鮮鋭化処理ができるため、様々な使用状況に対しても的確にメンテナンスの実施ができる。また、画像データを縮小して扱うことができるため、画像データの処理にかかる時間やコストの低減ができる。
【００９０】
なお、本実施の形態で説明したデジタル画像読み取り方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【００９１】
以上のように、本発明にかかるデジタル画像読み取り装置、デジタル画像読み取り方法およびデジタル画像読み取りプログラムは、デジタル複写機やファクシミリやスキャナなどに有用であり、特に、コピーやファクシミリやスキャナ機能を備えたマルチファンクション機に適している。
【図面の簡単な説明】
【００９２】
【図１】本発明の実施の形態にかかるデジタル画像読み取り装置の全体構成を示す側断面図である。
【図２】本発明の実施の形態にかかるデジタル画像読み取り装置におけるビデオ処理の機能を示すブロック図である。
【図３】本発明の実施の形態にかかるデジタル画像読み取り装置における操作表示装置を示すブロック図である。
【図４】本発明の実施の形態にかかるシェーディング補正処理部２０２の詳細な機能を示すブロック図である。
【図５】本発明の実施の形態にかかる基準白板を読み取った画像データのＨＥＸダンプによる表示例を示す図である。
【図６】本発明の実施の形態にかかる基準白板を読み取った画像データのイメージビューアによる表示例を示す図である。
【図７】同じゴミに対してＭＴＦ補正強度を「強／中／弱」とした場合の視覚認識性の違いの参考例を示す図である。
【符号の説明】
【００９３】
１００  デジタル画像読み取り装置
１０１  原稿台ガラス
１０２、１０２ａ  第１ミラー
１０３、１０３ａ  照明ランプ
１０４、１０４ａ  第２ミラー
１０５、１０５ａ  第３ミラー
１０６  ＣＣＤ
１０７  走行体モーター
１０８  原稿トレイ
１０９  ピックアップローラー
１１０  レジストローラー対
１１１  搬送ドラム
１１２  搬送ローラー
１１３、１１４  排紙ローラー対
１１５  排紙トレイ
１１６  搬送モーター
１１７  レンズ
１１８  基準白板
２０１  センサ部
２０２  シェーディング補正処理部
２０３  メモリ（１）
２０４  変倍処理部
２０５  画像処理部
２０６  メモリコントローラ
２０７  メモリ（２）
２０８  Ｉ／Ｆコントローラ
２０９  ＳＤ−ＣＡＲＤコネクタ
２１０  ＣＰＵ
２２０  ＳＤ−ＣＡＲＤメモリ
２２１  ホスト
２２２  ＣＲＴ
【図１】
2006279571.tif 000003
【図２】
2006279571.tif 000004
【図３】
2006279571.tif 000005
【図４】
2006279571.tif 000006
【図５】
2006279571.tif 000007
【図６】
2006279571.tif 000008
【図７】
2006279571.tif 000009